(57)【要約】本開示のある態様は、省電力を達成するためにランダム・オフセットを用いる方法および装置を提供する。ある態様の場合、部分的な関連付け識別子（ＡＩＤ）を、物理レイヤ（ＰＨＹ）ヘッダの９ビット・フィールド（例えば、ＮＳＴＳフィールドのビット１３−２１）に入力する前に、基本サービス・セット（ＢＳＳ）特有のオフセットが、（部分的な）ＡＩＤに追加されうる。ＢＳＳ特有のオフセットが、アクセス・ポイント（ＡＰ）によってランダムに選択され、関連付け応答によって、関連付けられた局（ＳＴＡ）へシグナルされうるか、あるいは、このオフセットが、その他の手段によって、ＳＴＡへ通信されうる。このようにして、ダウンリンク送信のための９ビット・フィールドにおける値は、高い可能性で、１つのＢＳＳと次のＢＳＳとでは異なりうる。これによって、ＳＴＡは、フレームが送信されている場合に、アウェイクし続けることが可能となる。
2013544472.tif 000002
【特許請求の範囲】
【請求項１】
無線通信のための第１の装置であって、
第１の値を備えるメッセージを生成するように構成された処理システムと、ここで、前記第１の値は、前記第１の装置に関連付けられた第２の値と、第２の装置に関連付けられた第３の値とに基づいて生成される；
前記メッセージを前記第２の装置へ送信するように構成された送信機と；
を備える第１の装置。
【請求項２】
前記生成することは、前記第１の装置に関連付けられた前記第２の値を、前記第３の値に加えることを備える、請求項１に記載の第１の装置。
【請求項３】
前記生成することはさらに、前記加えられた結果を切り詰めることを備える、請求項２に記載の第１の装置。
【請求項４】
前記処理システムはさらに、複数の値を複数の装置にシーケンシャルに割り当てるように構成され、
前記第３の値は、前記複数の値のうちの１つである、請求項１に記載の第１の装置。
【請求項５】
前記第２の値は、ランダムに選択される、請求項１に記載の第１の装置。
【請求項６】
前記送信機はさらに、前記第２の値を、関連付け応答によって、前記第２の装置に提供するように構成される、請求項１に記載の第１の装置。
【請求項７】
前記送信機はさらに、前記第３の値を、前記第２の装置に提供するように構成される、請求項１に記載の第１の装置。
【請求項８】
無線通信のための方法であって、
第１の値を備えるメッセージを、第１の装置において生成することと、ここで、前記第１の値は、前記第１の装置に関連付けられた第２の値と、第２の装置に関連付けられた第３の値とに基づいて生成される；
前記メッセージを前記第２の装置へ送信することと；
を備える方法。
【請求項９】
前記生成することは、前記第１の装置に関連付けられた前記第２の値を、前記第３の値に加えることを備える、請求項８に記載の方法。
【請求項１０】
前記生成することはさらに、前記加えられた結果を切り詰めることを備える、請求項９に記載の方法。
【請求項１１】
複数の値を複数の装置にシーケンシャルに割り当てることをさらに備え、
前記第３の値は、前記複数の値のうちの１つである、請求項８に記載の方法。
【請求項１２】
前記第２の値は、ランダムに選択される、請求項８に記載の方法。
【請求項１３】
前記第２の値を、関連付け応答によって、前記第２の装置に提供すること、をさらに備える請求項８に記載の方法。
【請求項１４】
前記第３の値を、前記第２の装置に提供すること、をさらに備える請求項８に記載の方法。
【請求項１５】
無線通信のための第１の装置であって、
第１の値を備えるメッセージを生成する手段と、ここで、前記第１の値は、前記第１の装置に関連付けられた第２の値と、第２の装置に関連付けられた第３の値とに基づいて生成される；
前記メッセージを前記第２の装置へ送信する手段と；
を備える第１の装置。
【請求項１６】
前記生成することは、前記第１の装置に関連付けられた前記第２の値を、前記第３の値に加えることを備える、請求項１５に記載の第１の装置。
【請求項１７】
前記生成することはさらに、前記加えられた結果を切り詰めることを備える、請求項１６に記載の第１の装置。
【請求項１８】
複数の値を複数の装置にシーケンシャルに割り当てる手段をさらに備え、
前記第３の値は、前記複数の値のうちの１つである、請求項１５に記載の第１の装置。
【請求項１９】
前記第２の値は、ランダムに選択される、請求項１５に記載の第１の装置。
【請求項２０】
前記第２の値を、関連付け応答によって、前記第２の装置に提供する手段、をさらに備える請求項１５に記載の第１の装置。
【請求項２１】
前記第３の値を、前記第２の装置に提供する手段、をさらに備える請求項１５に記載の第１の装置。
【請求項２２】
無線通信のためのコンピュータ・プログラム製品であって、
第１の値を備えるメッセージを、第１の装置において生成することと、ここで、前記第１の値は、前記第１の装置に関連付けられた第２の値と、第２の装置に関連付けられた第３の値とに基づいて生成される；
前記メッセージを前記第２の装置へ送信することと；
を実行することが可能な命令群を備えるコンピュータ読取可能な媒体を備える、コンピュータ・プログラム製品。
【請求項２３】
アクセス・ポイントであって、
少なくとも１つのアンテナと；
第１の値を備えるメッセージを生成するように構成された処理システムと、ここで、前記第１の値は、前記アクセス・ポイントに関連付けられた第２の値と、装置に関連付けられた第３の値とに基づいて生成される；
前記メッセージを、前記少なくとも１つのアンテナを介して前記装置へ送信するように構成された送信機と；
を備えるアクセス・ポイント。
【請求項２４】
無線通信のための第１の装置であって、
第２の装置からメッセージを受信するように構成された受信機と、ここで、前記メッセージは、第１の値を備える；
前記第２の装置に関連付けられた第３の値と、前記第１の装置に関連付けられた第４の値とに基づいて生成される第２の値を決定し、
前記第１の値および前記第２の値に基づいて、前記メッセージが、前記第１の装置に向けられているのか否かを判定する、ように構成された処理システムと；
を備える第１の装置。
【請求項２５】
前記処理システムは、前記第１の値が前記第２の値と等しい場合、前記メッセージが前記第１の装置に向けられていると判定するように構成された、請求項２４に記載の第１の装置。
【請求項２６】
前記処理システムは、
前記第１の値が前記第２の値と等しくない場合、前記メッセージが前記第１の装置に向けられていないと判定し、
前記メッセージが前記第１の装置に向けられていないとの判定に基づいて、前記メッセージの処理を終了させる
ように構成された、請求項２４に記載の第１の装置。
【請求項２７】
前記処理システムは、
前記メッセージが前記第１の装置に向けられているか否かを、第１のモードにおいて判定し、
前記メッセージが前記第１の装置に向けられていないと判定することに応じて、第２のモードを開始するように構成され、
前記第２のモードは、前記第１のモードよりも電力消費量が低い、請求項２４に記載の第１の装置。
【請求項２８】
前記受信機はさらに、前記第１の装置に関連付けられた前記第４の値を示すインジケーションを受信するように構成された、請求項２４に記載の第１の装置。
【請求項２９】
前記第１の装置に関連付けられた前記第４の値は、複数の装置にシーケンシャルに割り当てられた複数の値のうちの１つである、請求項２４に記載の第１の装置。
【請求項３０】
前記受信機はさらに、前記第２の装置に関連付けられた前記第３の値を示すインジケーションを、関連付け応答を介して受信するように構成された、請求項２４に記載の第１の装置。
【請求項３１】
前記第２の値のうちの少なくとも一部は、前記第１の装置に関連付けられた前記第４の値の複数の最下位ビット（ＬＳＢ）を備える、請求項２４に記載の第１の装置。
【請求項３２】
無線通信のための方法であって、
第２の装置からのメッセージを第１の装置において受信することと、ここで、前記メッセージは、第１の値を備える；
前記第２の装置に関連付けられた第３の値と、前記第１の装置に関連付けられた第４の値とに基づいて生成される第２の値を決定することと；
前記第１の値および前記第２の値に基づいて、前記メッセージが、前記第１の装置に向けられているのか否かを判定することと；
を備える方法。
【請求項３３】
前記第１の値が前記第２の値と等しい場合、前記メッセージが前記第１の装置に向けられていると判定される、請求項３２に記載の方法。
【請求項３４】
前記第１の値が前記第２の値と等しくない場合、前記メッセージが前記第１の装置に向けられていないと判定することと、
前記メッセージが前記第１の装置に向けられていないとの判定に基づいて、前記メッセージの処理を終了させることと、
をさらに備える請求項３２に記載の方法。
【請求項３５】
前記メッセージが前記第１の装置に向けられているか否かを、第１のモードにおいて判定することと、
前記メッセージが前記第１の装置に向けられていないと判定することに応じて、第２のモードを開始することと、をさらに備え、
前記第２のモードは、前記第１のモードよりも電力消費量が低い、請求項３２に記載の方法。
【請求項３６】
前記第１の装置に関連付けられた前記第４の値を示すインジケーションを受信すること、をさらに備える請求項３２に記載の方法。
【請求項３７】
前記第１の装置に関連付けられた前記第４の値は、複数の装置にシーケンシャルに割り当てられた複数の値のうちの１つである、請求項３２に記載の方法。
【請求項３８】
前記第２の装置に関連付けられた前記第３の値を示すインジケーションを、関連付け応答を介して受信すること、をさらに備える請求項３２に記載の方法。
【請求項３９】
前記第２の値のうちの少なくとも一部は、前記第１の装置に関連付けられた前記第４の値の複数の最下位ビット（ＬＳＢ）を備える、請求項３２に記載の方法。
【請求項４０】
無線通信のための第１の装置であって、
第２の装置からメッセージを受信する手段と、ここで、前記メッセージは、第１の値を備える；
前記第２の装置に関連付けられた第３の値と、前記第１の装置に関連付けられた第４の値とに基づいて生成される第２の値を決定する手段と；
前記第１の値および前記第２の値に基づいて、前記メッセージが、前記第１の装置に向けられているのか否かを判定する手段と；
を備える第１の装置。
【請求項４１】
前記第１の値が前記第２の値と等しい場合、前記メッセージが前記第１の装置に向けられていると判定される、請求項４０に記載の第１の装置。
【請求項４２】
前記第１の値が前記第２の値と等しくない場合、前記メッセージが前記第１の装置に向けられていないと判定する手段と、
前記メッセージが前記第１の装置に向けられていないとの判定に基づいて、前記メッセージの処理を終了させる手段と、
をさらに備える請求項４０に記載の第１の装置。
【請求項４３】
前記メッセージが前記第１の装置に向けられているか否かを、第１のモードにおいて判定する手段と、
前記メッセージが前記第１の装置に向けられていないと判定することに応じて、第２のモードを開始する手段と、をさらに備え、
前記第２のモードは、前記第１のモードよりも電力消費量が低い、請求項４０に記載の第１の装置。
【請求項４４】
前記第１の装置に関連付けられた前記第４の値を示すインジケーションを受信する手段、をさらに備える請求項４０に記載の第１の装置。
【請求項４５】
前記第１の装置に関連付けられた前記第４の値は、複数の装置にシーケンシャルに割り当てられた複数の値のうちの１つである、請求項４０に記載の第１の装置。
【請求項４６】
前記第２の装置に関連付けられた前記第３の値を示すインジケーションを、関連付け応答を介して受信する手段、をさらに備える請求項４０に記載の第１の装置。
【請求項４７】
前記第２の値のうちの少なくとも一部は、前記第１の装置に関連付けられた前記第４の値の複数の最下位ビット（ＬＳＢ）を備える、請求項４０に記載の第１の装置。
【請求項４８】
無線通信のためのコンピュータ・プログラム製品であって、
第２の装置からのメッセージを第１の装置において受信することと、ここで、前記メッセージは、第１の値を備える；
前記第２の装置に関連付けられた第３の値と、前記第１の装置に関連付けられた第４の値とに基づいて生成される第２の値を決定することと；
前記第１の値および前記第２の値に基づいて、前記メッセージが、前記第１の装置に向けられているのか否かを判定することと；
を実行することが可能な命令群を備えるコンピュータ読取可能な媒体を備える、コンピュータ・プログラム製品。
【請求項４９】
無線ノードであって、
少なくとも１つのアンテナと；
装置からのメッセージを、前記少なくとも１つのアンテナを介して受信するように構成された受信機と、ここで、前記メッセージは、第１の値を備える；
前記装置に関連付けられた第３の値と、前記無線ノードに関連付けられた第４の値とに基づいて生成される第２の値を決定し、
前記第１の値および前記第２の値に基づいて、前記メッセージが、前記無線ノードに向けられているのか否かを判定する、ように構成された処理システムと；
を備える無線ノード。
【発明の詳細な説明】
【関連出願に対する相互参照】
【０００１】
本願は、２０１０年１１月１７日に出願され、参照によって本明細書に明確に組み込まれている米国仮特許出願６１／４１４，８７２（代理人整理番号１１０４７４Ｐ１）の利益を主張する。
【技術分野】
【０００２】
本開示のある態様は、一般に、無線通信に関し、さらに詳しくは、省電力を達成するためにランダム・オフセットを用いることに関する。
【背景技術】
【０００３】
無線通信システムのために要求される帯域幅要件が増加する問題に対処するために、複数のユーザ端末が、チャネル・リソースを共有することによって、高データ・スループットを達成しながら、単一のアクセス・ポイントと通信することを可能にするための、異なるスキームが開発されている。複数入力複数出力（ＭＩＭＯ）技術は、次世代通信システムのためのポピュラーな技術として最近現れたこのような１つのアプローチを表す。ＭＩＭＯ技術は、例えば電気電子学会（ＩＥＥＥ）８０２．１１規格のようないくつかの新興の無線通信規格に採用された。ＩＥＥＥ  ８０２．１１は、短距離通信（例えば、数１０メートルから数１００メートル）のためにＩＥＥＥ  ８０２．１１委員会によって開発された無線ローカル・エリア・ネットワーク（ＷＬＡＮ）エア・インタフェース規格のセットを示す。
【０００４】
ＭＩＭＯ無線システムは、データ送信のために、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、多く（ＮＳ個）の空間ストリームへ分割されうる。ここで、すべての実用目的のために、ＮＳ≦ｍｉｎ｛ＮＴ，ＮＲ｝である。ＮＳ個の空間ストリームのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与えうる。
【０００５】
単一のアクセス・ポイント（ＡＰ）と複数のユーザ局（ＳＴＡ）とを備える無線ネットワークでは、アップリンク方向とダウンリンク方向との両方において、複数のチャネルにおいて、異なる局への同時送信が生じうる。このようなシステムには、多くのチャレンジがある。
【発明の概要】
【０００６】
本開示のある態様は、無線通信のための第１の装置を提供する。この第１の装置は一般に、処理システムと送信機とを含む。処理システムは一般に、第１の値を備えるメッセージを生成するように構成される。ここで、第１の値は、この装置に関連付けられた第２の値と、第２の装置に関連付けられた第３の値とに基づいて生成される。送信機は一般に、このメッセージを第２の装置へ送信するように構成される。
【０００７】
本開示のある態様は、無線通信のための方法を提供する。この方法は一般に、第１の値を備えるメッセージを、第１の装置において生成することと、ここで、第１の値は、第１の装置に関連付けられた第２の値と、第２の装置に関連付けられた第３の値とに基づいて生成される；このメッセージを第２の装置へ送信することと；を含む。
【０００８】
本開示のある態様は、無線通信のための第１の装置を提供する。この第１の装置は一般に、第１の値を備えるメッセージを生成する手段と、ここで、第１の値は、第１の装置に関連付けられた第２の値と、第２の装置に関連付けられた第３の値とに基づいて生成される；このメッセージを第２の装置へ送信する手段と；を含む。
【０００９】
本開示のある態様は、無線通信のためのコンピュータ・プログラム製品を提供する。このコンピュータ・プログラム製品は、一般に、第１の値を備えるメッセージを、第１の装置において生成することと、ここで、第１の値は、第１の装置に関連付けられた第２の値と、第２の装置に関連付けられた第３の値とに基づいて生成される；このメッセージを第２の装置へ送信することと；を実行することが可能な命令群を有するコンピュータ読取可能な媒体を含む。
【００１０】
本開示のある態様は、アクセス・ポイントを提供する。アクセス・ポイントは一般に、少なくとも１つのアンテナと；第１の値を備えるメッセージを生成するように構成された処理システムと、ここで、第１の値は、アクセス・ポイントに関連付けられた第２の値と、装置に関連付けられた第３の値とに基づいて生成される；このメッセージを、少なくとも１つのアンテナを介して装置へ送信するように構成された送信機と；を含む。
【００１１】
本開示のある態様は、無線通信のための第１の装置を提供する。第１の装置は一般に、受信機と処理システムとを含む。受信機は、一般に、第２の装置からメッセージを受信するように構成される。ここで、このメッセージは、第１の値を備えている。処理システムは、一般に、第２の装置に関連付けられた第３の値と、第１の装置に関連付けられた第４の値とに基づいて生成される第２の値を決定し、第１の値および第２の値に基づいて、このメッセージが、第１の装置に向けられているのか否かを判定するように構成される。
【００１２】
本開示のある態様は、無線通信のための方法を提供する。この方法は一般に、第２の装置からのメッセージを第１の装置において受信することと、ここで、このメッセージは、第１の値を備える；第２の装置に関連付けられた第３の値と、第１の装置に関連付けられた第４の値とに基づいて生成される第２の値を決定することと；第１の値および第２の値に基づいて、このメッセージが、第１の装置に向けられているのか否かを判定することと；を含む。
【００１３】
本開示のある態様は、無線通信のための第１の装置を提供する。第１の装置は一般に、第２の装置からメッセージを受信する手段と、ここで、このメッセージは、第１の値を備える；第２の装置に関連付けられた第３の値と、第１の装置に関連付けられた第４の値とに基づいて生成される第２の値を決定する手段と；第１の値および第２の値に基づいて、このメッセージが、第１の装置に向けられているのか否かを判定する手段と；を含む。
【００１４】
本開示のある態様は、無線通信のためのコンピュータ・プログラム製品を提供する。このコンピュータ・プログラム製品は、一般に、第２の装置からのメッセージを第１の装置において受信することと、ここで、このメッセージは、第１の値を備える；第２の装置に関連付けられた第３の値と、第１の装置に関連付けられた第４の値とに基づいて生成される第２の値を決定することと；第１の値および第２の値に基づいて、このメッセージが、第１の装置に向けられているのか否かを判定することと；を実行することが可能な命令群を有するコンピュータ読取可能な媒体を含む。
【００１５】
本開示のある態様は、無線ノードを提供する。無線ノードは一般に、少なくとも１つのアンテナと；装置からのメッセージを少なくとも１つのアンテナを介して受信するように構成された受信機と、ここで、このメッセージは、第１の値を備える；装置に関連付けられた第３の値と、無線ノードに関連付けられた第４の値とに基づいて生成される第２の値を決定し、第１の値および第２の値に基づいて、このメッセージが、無線ノードに向けられているのか否かを判定するように構成された処理システムと；を含む。
【００１６】
本開示のある態様は、無線通信のための装置を提供する。この装置は一般に、処理システムと送信機とを含む。処理システムは一般に、フィールドを備えるメッセージを生成するように構成される。このフィールドは、マルチ・ユーザ送信スキームで使用されている場合、空間時間ストリームの数を示すインジケーション、または、シングル・ユーザ送信スキームで使用されている場合、識別情報（ＩＤ）値の少なくとも一部、を備える。送信機は一般に、このメッセージを送信するように構成される。
【００１７】
本開示のある態様は、無線通信のための方法を提供する。この方法は一般に、フィールドを備えるメッセージを生成することと、ここで、このフィールドは、マルチ・ユーザ送信スキームで使用されている場合、空間時間ストリームの数を示すインジケーション、または、シングル・ユーザ送信スキームで使用されている場合、識別情報（ＩＤ）値の少なくとも一部を備える；このメッセージを送信することと；を含む。
【００１８】
本開示のある態様は、無線通信のための装置を提供する。この装置は一般に、フィールドを備えるメッセージを生成する手段と、ここで、このフィールドは、マルチ・ユーザ送信スキームで使用されている場合、空間時間ストリームの数を示すインジケーション、または、シングル・ユーザ送信スキームで使用されている場合、識別情報（ＩＤ）値の少なくとも一部を備える；このメッセージを送信する手段と；を含む。
【００１９】
本開示のある態様は、無線通信のためのコンピュータ・プログラム製品を提供する。このコンピュータ・プログラム製品は、一般に、フィールドを備えるメッセージを生成することと、ここで、このフィールドは、マルチ・ユーザ送信スキームで使用されている場合、空間時間ストリームの数を示すインジケーション、または、シングル・ユーザ送信スキームで使用されている場合、識別情報（ＩＤ）値の少なくとも一部を備える；このメッセージを送信することと；を実行することが可能な命令群を有するコンピュータ読取可能な媒体を含む。
【００２０】
本開示のある態様は、無線ノードを提供する。無線ノードは一般に、少なくとも１つのアンテナと；フィールドを備えるメッセージを生成するように構成された処理システムと、ここで、このフィールドは、マルチ・ユーザ送信スキームで使用されている場合、空間時間ストリームの数を示すインジケーション、または、シングル・ユーザ送信スキームで使用されている場合、識別情報（ＩＤ）値の少なくとも一部を備える；このメッセージを、少なくとも１つのアンテナを介して送信するように構成された送信機と；を含む。
【００２１】
本開示のある態様は、無線通信のための装置を提供する。この装置は一般に、フィールドを備えるメッセージを受信するように構成された受信機と、ここで、このフィールドは、マルチ・ユーザ送信スキームで使用されている場合、空間時間ストリームの数を示すインジケーション、または、シングル・ユーザ送信スキームで使用されている場合、識別情報（ＩＤ）値の少なくとも一部、を備える；ＩＤ値の少なくとも一部に基づいて、このメッセージが、装置に向けられているのか否かを判定するように構成された処理システムと；を含む。
【００２２】
本開示のある態様は、無線通信のための方法を提供する。この方法は一般に、フィールドを備えるメッセージを装置において受信することと、ここで、このフィールドは、マルチ・ユーザ送信スキームで使用されている場合、空間時間ストリームの数を示すインジケーション、または、シングル・ユーザ送信スキームで使用されている場合、識別情報（ＩＤ）値の少なくとも一部、備える；ＩＤ値の少なくとも一部に基づいて、このメッセージが、装置に向けられているのか否かを判定することと；を含む。
【００２３】
本開示のある態様は、無線通信のための装置を提供する。この装置は一般に、フィールドを備えるメッセージを受信する手段と、ここで、このフィールドは、マルチ・ユーザ送信スキームで使用されている場合、空間時間ストリームの数を示すインジケーション、または、シングル・ユーザ送信スキームで使用されている場合、識別情報（ＩＤ）値の少なくとも一部、を備える；ＩＤ値の少なくとも一部に基づいて、このメッセージが、装置に向けられているのか否かを判定する手段と；を含む。
【００２４】
本開示のある態様は、無線通信のためのコンピュータ・プログラム製品を提供する。このコンピュータ・プログラム製品は、一般に、フィールドを備えるメッセージを装置において受信することと、ここで、このフィールドは、マルチ・ユーザ送信スキームで使用されている場合、空間時間ストリームの数を示すインジケーション、または、シングル・ユーザ送信スキームで使用されている場合、識別情報（ＩＤ）値の少なくとも一部、を備える；ＩＤ値の少なくとも一部に基づいて、このメッセージが、装置に向けられているのか否かを判定することと；を実行することが可能な命令群を有するコンピュータ読取可能な媒体を含む。
【００２５】
本開示のある態様は、無線ノードを提供する。無線ノードは一般に、少なくとも１つのアンテナと；フィールドを備えるパケットを、少なくとも１つのアンテナを介して受信するように構成された受信機と、ここで、このフィールドは、マルチ・ユーザ送信スキームで使用されている場合、空間時間ストリームの数を示すインジケーション、または、シングル・ユーザ送信スキームで使用されている場合、識別情報（ＩＤ）値の少なくとも一部、を備える；ＩＤ値の少なくとも一部に基づいて、このメッセージが、無線ノードに向けられているのか否かを判定するように構成された処理システムと；を含む。
【図面の簡単な説明】
【００２６】
本開示の前述した特徴が、より詳細に理解される方式で、簡潔に要約された具体的な記載が、態様に対する参照によってなされている。そして、それらの幾つかは、添付図面で例示されている。しかしながら、この記載は、その他の等しく有効な態様に対しても適合するので、添付図面は、本開示のある典型的な態様のみを示していることや、この範囲を限定するものとしては考慮されないことが注目されるべきである。
【図１】図１は、本開示のある態様にしたがう無線通信ネットワークの図解を例示する。
【図２】図２は、本開示のある態様にしたがうアクセス・ポイントおよびユーザ端末の例のブロック図を例示する。
【図３】図３は、本開示のある態様にしたがう無線デバイスの例のブロック図を例示する。
【図４Ａ】図４Ａは、本開示のある態様にしたがって、シングル・ユーザ（ＳＵ）送信スキームまたはマルチ・ユーザ（ＭＵ）送信スキームで送信されうるパケットの例を例示する。
【図４Ｂ】図４Ｂは、本開示のある態様にしたがって、シングル・ユーザ（ＳＵ）送信スキームまたはマルチ・ユーザ（ＭＵ）送信スキームで送信されうるパケットの例を例示する。
【図４Ｃ】図４Ｃは、本開示のある態様にしたがって、シングル・ユーザ（ＳＵ）送信スキームまたはマルチ・ユーザ（ＭＵ）送信スキームで送信されうるパケットの例を例示する。
【図５】図５は、本開示のある態様にしたがって、局によって実行されうる省電力を容易にするための動作の例を例示する。
【図５Ａ】図５Ａは、図５に図示された動作を実行することが可能な手段の例を図示する。
【図６】図６は、本開示のある態様にしたがって、アクセス・ポイントによって実行されうる省電力を容易にするための動作の例を例示する。
【図６Ａ】図６Ａは、図６に図示された動作を実行することが可能な手段の例を図示する。
【図７Ａ】図７Ａは、本開示のある態様にしたがう、超高スループット（ＶＨＴ）信号Ａ１（ＶＨＴ−ＳＩＧ−Ａ１）フィールドのビット構成テーブルの例である。
【図７Ｂ】図７Ｂは、本開示のある態様にしたがう、ＶＨＴ信号Ａ２（ＶＨＴ−ＳＩＧ−Ａ２）フィールドのビット構成テーブルの例である。
【図８】図８は、本開示のある態様にしたがって、アクセス・ポイントに関連付けられた値と、局に関連付けられた第２の値とに基づいてメッセージを送信するための、アクセス・ポイントの観点からの動作の例を例示する。
【図８Ａ】図８Ａは、図８に図示された動作を実行することが可能な手段の例を図示する。
【図９】図９は、本開示のある態様にしたがって、空間時間ストリームの数を示すインジケーションまたは識別情報値を備えるメッセージを送信するための、アクセス・ポイントの観点からの動作の例を例示する。
【図９Ａ】図９Ａは、図９に図示された動作を実行することが可能な手段の例を例示する。
【図１０】図１０は、本開示のある態様にしたがって、受信したメッセージが局に向けられているのかを、アクセス・ポイントに関連付けられた値と、局に関連付けられた第２の値とに基づいて判定するための、局の観点からの動作の例を例示する。
【図１０Ａ】図１０Ａは、図１０に図示された動作を実行することが可能な手段の例を例示する。
【図１１】図１１は、本開示のある態様にしたがって、受信したメッセージが局に向けられているのかを、受信したメッセージにおける識別情報値の少なくとも一部に基づいて判定するための、局の観点からの動作の例を例示する。
【図１１Ａ】図１１Ａは、図１１に図示された動作を実行することが可能な手段の例を例示する。
【発明を実施するための形態】
【００２７】
本開示のさまざまな態様は、添付図面を参照して以下により十分に記載される。しかしながら、本開示は、異なる多くの形態で具体化され、本開示を通じて示されたどのような具体的な構成または機能にも限定されるとは解釈されるべきではない。むしろ、これらの態様は、本開示が十分で完全であり、本開示の範囲を当業者に十分に伝達できるように提供される。本明細書における教示に基づいて、当業者は、本開示の範囲は、独立して実施されようが、あるいは、本開示の任意の他の態様と組み合わされようが、本明細書で示された開示の態様をカバーすることが意図されていることを認識すべきである。例えば、本明細書に記載された任意の数の態様を用いて装置が実施され、方法が実現されうる。さらに、本開示の範囲は、別の構成、機能、または、本明細書に記載された開示のさまざまな態様またはそれ以外の態様が追加された構成および機能を用いて実現される装置または方法をカバーすることが意図されている。本明細書で示された開示のあらゆる態様は、特許請求の範囲の１または複数の要素によって具体化されうる。
【００２８】
「典型的である」という単語は「例、事例、あるいは実例として役立つ」ことを意味するために本明細書で使用される。本明細書において「典型的」と記載されるいかなる態様も、他の態様よりも好適であるとか、有利であると必ずしも解釈される必要はない。さらに、本明細書で使用されるように、用語「レガシー局」は、一般に、電気電子学会（ＩＥＥＥ）８０２．１１規格またはＩＥＥＥ  ８０２．１１ｎ規格に対する初期の修正をサポートする無線ネットワーク・ノードを称する。
【００２９】
本明細書では、特定の態様が記載されているが、これら態様の多くの変形および置換が、本開示の範囲内にある。好適な態様のいくつかの利点および長所が述べられているが、本開示の範囲は、特定の利点、使用、および目的に限定されることは意図されていない。むしろ、本開示の態様は、このうちのいくつかが図面における例示によって、および、以下の好適な態様の記載によって例示されている異なる無線技術、システム構成、ネットワーク、および伝送プロトコルに広く適用可能であることが意図されている。詳細な記載および図面は、限定ではない開示の単なる例示であり、本開示の範囲は、特許請求の範囲およびその均等物によって定義される。
【００３０】
（典型的な無線通信システム）  
本明細書に記載された技術は、直交多重化スキームに基づく通信システムを含むさまざまなブロードバンド無線通信システムのために使用される。このような通信システムの例は、空間分割多元接続（ＳＤＭＡ）システム、時分割多元接続（ＴＤＭＡ）システム、直交周波数分割多元接続（ＯＦＤＭＡ）システム、シングル・キャリア周波数分割多元接続（ＳＣ−ＦＤＭＡ）システム等を含んでいる。ＳＤＭＡシステムは、複数のユーザ端末に属するデータを同時に送信するために、十分に異なる方向を利用しうる。ＴＤＭＡシステムによって、複数のユーザ端末は、送信信号を複数の異なる時間スロットに分割することによって、同じ周波数チャネルを共有できるようになる。ここで、おのおのの時間スロットは、異なるユーザ端末に割り当てられる。ＯＦＤＭＡシステムは、直交周波数分割多重（ＯＦＤＭ）を利用する。これは、システム帯域幅全体を、複数の直交サブ・キャリアへ分割する変調技術である。これらサブ・キャリアはまた、トーン、ビン等とも称されうる。各サブ・キャリアは、ＯＦＤＭを用いて、データと独立して変調される。ＳＣ−ＦＤＭＡシステムは、システム帯域幅にわたって分散されたサブ・キャリアで送信するインタリーブＦＤＭＡ（ＩＦＤＭＡ）、隣接するサブ・キャリアのブロックで送信するローカライズドＦＤＭＡ（ＬＦＤＭＡ）、あるいは、隣接するサブ・キャリアの複数のブロックで送信するエンハンストＦＤＭＡ（ＥＦＤＭＡ）を利用する。一般に、変調シンボルは、ＯＦＤＭでは周波数領域で、ＳＣ−ＦＤＭＡでは時間領域で送信される。
【００３１】
本明細書に記載された教示は、さまざまな有線装置または無線装置（例えば、ノード）へ組み込まれうる（例えば、これら内で実行されるか、これらによって実施される）。いくつかの態様では、本明細書における教示したがって実施される無線ノードは、アクセス・ポイントまたはアクセス端末を備えうる。
【００３２】
アクセス・ポイント（“ＡＰ”）は、ノードＢ、ラジオ・ネットワーク・コントローラ（“ＲＮＣ”）、イボルブド・ノードＢ（ｅＮＢ）、基地局コントローラ（“ＢＳＣ”）、基地トランシーバ局（“ＢＴＳ”）、基地局（“ＢＳ”）、トランシーバ機能（“ＴＦ”）、ラジオ・ルータ、ラジオ・トランシーバ、基本サービス・セット（“ＢＳＳ”）、拡張サービス・セット（“ＥＳＳ”）、ラジオ基地局（“ＲＢＳ”）、または、その他いくつかの用語として知られているか、備えているか、または実現されうる。
【００３３】
例えば、アクセス端末（“ＡＴ”）は、加入者局、加入者ユニット、移動局（ＭＳ）、遠隔局、遠隔端末、ユーザ端末（ＵＴ）、ユーザ・エージェント、ユーザ・デバイス、ユーザ機器（ＵＥ）、ユーザ局、またはその他いくつかの用語として知られているか、備えているか、または実現されうる。いくつかの実施において、アクセス端末は、セルラ電話、コードレス電話、セッション開始プロトコル（“ＳＩＰ”）電話、無線ローカル・ループ（“ＷＬＬ”）局、携帯情報端末（“ＰＤＡ”）、無線接続機能を有するハンドヘルド・デバイス、局（“ＳＴＡ”）、あるいは無線モデムに接続されたその他いくつかの適切な処理デバイスを備えうる。したがって、本明細書で教示された１または複数の態様は、電話（例えば、セルラ電話またはスマート・フォン）、コンピュータ（例えば、ラップトップ）、タブレット、ポータブル通信デバイス、ポータブル・コンピューティング・デバイス（例えば、情報携帯端末）、エンタテイメント・デバイス（例えば、音楽またはビデオ・デバイス、または衛星ラジオ）、全地球測位システム（ＧＰＳ）デバイス、あるいは無線媒体または有線媒体によって通信するように構成されたその他任意の適切なデバイスに組み入れられうる。いくつかの態様では、ノードは無線ノードである。このような無線ノードは、例えば、有線または無線による通信リンクによる（例えば、インターネットまたはセルラ・ネットワークのような広域ネットワークのような）ネットワークへの、または、ネットワークのための接続を提供しうる。
【００３４】
図１は、アクセス・ポイントおよびユーザ端末を備えた多元接続複数入力複数出力（ＭＩＭＯ）システム１００を例示する。簡略のために、図１には、１つのアクセス・ポイント１１０しか示されていない。アクセス・ポイント（ＡＰ）は、一般に、ユーザ端末と通信する固定局であり、基地局、またはその他いくつかの用語でも称されうる。ユーザ端末は、据置式または移動式であり、移動局、局（ＳＴＡ）、クライアント、無線デバイス、またはその他いくつかの用語でも称されうる。アクセス・ポイント１１０は、ダウンリンクおよびアップリンクにおいて、所与の瞬間において、１または複数のユーザ端末１２０と通信しうる。ダウンリンク（すなわち、順方向リンク）は、アクセス・ポイントからユーザ端末への通信リンクであり、アップリンク（すなわち、逆方向リンク）は、ユーザ端末からアクセス・ポイントへの通信リンクである。ユーザ端末はまた、別のユーザ端末とピア・トゥ・ピアを通信しうる。システム・コントローラ１３０は、アクセス・ポイントに接続しており、アクセス・ポイントのための調整および制御を与える。
【００３５】
ある開示のために、後述する説明の一部は、空間分割多元接続（ＳＤＭＡ）で通信することが可能なユーザ端末１２０を説明しているが、ユーザ端末１２０はまた、ＳＤＭＡをサポートしないいくつかのユーザ端末をも含みうる。したがって、このような態様のために、ＡＰ１１０は、ＳＤＭＡユーザ端末と非ＳＤＭＡユーザ端末との両方と通信するように構成されうる。このアプローチによって、便利なことに、古いバージョンのユーザ端末（「レガシー」局）は、エンタープライズ内に引き続き配置され、有用な寿命を延ばすことができるようになるとともに、新たなＳＤＭＡユーザ端末が、適切なものとみなされて導入されるようになる。
【００３６】
システム１００は、ダウンリンクおよびアップリンクにおけるデータ送信のために複数の送信アンテナおよび複数の受信アンテナを適用する。アクセス・ポイント１１０は、Ｎａｐ個のアンテナを装備しており、ダウンリンク送信のための複数の入力（ＭＩ）と、アップリンク送信のための複数の出力（ＭＯ）とを示す。Ｎｕ個の選択されたユーザ端末１２０のセットは、集合的に、ダウンリンク送信のための複数の出力と、アップリンク送信のための複数の入力とを示す。ある場合では、Ｎｕ個のユーザ端末のためのデータ・シンボル・ストリームが、ある手段によって、符号、周波数、または時間で多重化されていない場合、Ｎａｐ≧Ｎｕ≧１を有することが所望されうる。データ・シンボル・ストリームが、ＴＤＭＡ技術を用いて、ＣＤＭＡで異なる符号チャネルを用いて、ＯＦＤＭでサブ帯域の別のセットを用いて、等で多重化されうるのであれば、Ｎｕは、Ｎａｐよりも大きくなりうる。選択された各ユーザ端末は、ユーザ特有データをアクセス・ポイントへ送信するか、および／または、ユーザ特有データをアクセス・ポイントから受信する。一般に、選択されたユーザ端末はそれぞれ、１または複数のアンテナ（つまり、Ｎｕｔ≧１）を装備しうる。Ｎｕ個の選択されたユーザ端末は、同じまたは異なる数のアンテナを有しうる。
【００３７】
ＭＩＭＯシステム１００は、時分割デュプレクス（ＴＤＤ）システムまたは周波数分割デュプレクス（ＦＤＤ）システムをサポートしうる。ＴＤＤシステムの場合、ダウンリンクおよびアップリンクは、同じ周波数帯域を共有する。ＦＤＤシステムの場合、ダウンリンクおよびアップリンクは、異なる周波数帯を使用する。ＭＩＭＯシステム１００はさらに、送信のために単一のキャリアまたは複数のキャリアを利用しうる。ユーザ端末はそれぞれ、（例えば、コスト・ダウンを維持するために）単一アンテナを、あるいは、（例えば、追加コストが支援されうる場合）複数アンテナを装備しうる。ユーザ端末１２０が、送信／受信を、別の時間スロットに分割することによって、同じ周波数チャネルを共有する場合、システム１００は、ＴＤＭＡシステムでもありうる。ここで、おのおのの時間スロットは、異なるユーザ端末１２０に割り当てられる。
【００３８】
図２は、ＭＩＭＯシステム１００におけるアクセス・ポイント１１０と２つのユーザ端末１２０ｍ，１２０ｘのブロック図を例示する。アクセス・ポイント１１０は、Ｎａｐ個のアンテナ２２４ａ乃至２２４ａｐを装備している。ユーザ端末１２０ｍは、Ｎｕｔ，ｍ個のアンテナ２５２ｍａ乃至２５２ｍｕを装備し、ユーザ端末１２０ｘは、Ｎｕｔ，ｘ個のアンテナ２５２ｘａ乃至２５２ｘｕを装備している。アクセス・ポイント１１０は、ダウンリンクのための送信エンティティ、およびアップリンクのための受信エンティティである。ユーザ端末１２０はそれぞれ、アップリンクのための送信エンティティ、およびダウンリンクのための受信エンティティである。本明細書で使用されるように、「送信エンティティ」は、無線チャネルを介してデータを送信することが可能な、独立して動作する装置またはデバイスであり、「受信エンティティ」は、無線チャネルを介してデータを受信することが可能な、独立して動作する装置またはデバイスである。後述する説明では、添字“ｄｎ”は、ダウンリンクを示し、添字“ｕｐ”は、アップリンクを示し、Ｎｕｐ個のユーザ端末が、アップリンクにおける同時通信のために選択され、Ｎｄｎ個のユーザ端末が、ダウンリンクにおける同時通信のために選択され、Ｎｕｐは、Ｎｄｎと等しい場合も、等しくない場合もあり、ＮｕｐおよびＮｄｎは、固定値であることも、各スケジューリング・インタバルについて変動する場合もありうる。ビーム・ステアリングまたはその他のある空間処理技術が、アクセス・ポイントおよびユーザ端末において使用されうる。
【００３９】
アップリンクでは、アップリンク送信のために選択された各ユーザ端末１２０において、ＴＸデータ・プロセッサ２８８が、データ・ソース２８６からトラフィック・データを、コントローラ２８０から制御データを受け取る。ＴＸデータ・プロセッサ２８８は、ユーザ端末のために選択されたレートに関連付けられた符号化スキームおよび変調スキームに基づいて、ユーザ端末のためのトラフィック・データ｛ｄｕｐ，ｍ｝を処理（例えば、符号化、インタリーブ、および変調）し、データ・シンボル・ストリーム｛ｓｕｐ，ｍ｝を提供する。ＴＸ空間プロセッサ２９０は、データ・シンボル・ストリーム｛ｓｕｐ，ｍ｝について空間処理を実行し、Ｎｕｔ，ｍ個のアンテナのためにＮｕｔ，ｍ個の送信シンボル・ストリームを提供する。各送信機ユニット（ＴＭＴＲ）２５４は、それぞれの送信シンボル・ストリームを受信して処理（例えば、アナログ変換、増幅、フィルタ、および周波数アップコンバート）し、アップリンク信号を生成する。Ｎｕｔ，ｍ個の送信機ユニット２５４は、Ｎｕｔ，ｍ個のアンテナ２５２からアクセス・ポイント１１０へ送信のために、Ｎｕｔ，ｍ個のアップリンク信号を提供する。
【００４０】
多くの（Ｎｕｐ個の）ユーザ端末は、アップリンクにおける同時送信のためにスケジュールされうる。これらユーザ端末の各々は、データ・シンボル・ストリームについて空間処理を実行し、送信シンボル・ストリームのセットを、アップリンクで、アクセス・ポイントへ送信する。
【００４１】
アクセス・ポイント１１０では、Ｎａｐ個のアンテナ２２４ａ乃至２２４ａｐが、アップリンクで送信しているＮｕｐ個すべてのユーザ端末から、アップリンク信号を受信する。各アンテナ２２４は、受信した信号を、それぞれの受信機ユニット（ＲＣＶＲ）２２２に提供する。各受信機ユニット２２２は、送信機ユニット２５４によって実行されるものに対して相補的な処理を実行し、受信したシンボル・ストリームを提供する。ＲＸ空間プロセッサ２４０は、Ｎａｐ個の受信機ユニット２２２から受信したＮａｐ個のシンボル・ストリームについて受信機空間処理を実行し、復元されたＮａｐ個のアップリンク・データ・シンボル・ストリームを提供する。受信機空間処理は、チャネル相関行列変換（ＣＣＭＩ）、最小平均平方誤差（ＭＭＳＥ）、連続干渉除去（ＳＩＣ）、またはその他いくつかの技術にしたがって実行される。復元された各アップリンク・データ・シンボル・ストリーム｛ｓｕｍ，ｍ｝は、それぞれのユーザ端末によって送信されたデータ・シンボル・ストリーム｛ｓｕｍ，ｍ｝の推定値である。ＲＸデータ・プロセッサ２４２は、復号されたデータを取得するために、そのストリームのために使用されたレートにしたがって、復元された各アップリンク・データ・シンボル・ストリーム｛ｓｕｐ，ｍ｝を処理（例えば、復調、デインタリーブ、および復号）する。各ユーザ端末の復号されたデータは、格納のためにデータ・シンク２４４へ提供され、および／または、さらなる処理のためにコントローラ２３０へ提供されうる。
【００４２】
ダウンリンクでは、アクセス・ポイント１１０において、ＴＸデータ・プロセッサ２１０は、ダウンリンク送信のためにスケジュールされたＮｄｎ個のユーザ端末のためのトラフィック・データをデータ・ソース２０８から、制御データをコントローラ２３０から、恐らくはその他のデータをスケジューラ２３４から受信する。さまざまなタイプのデータが、異なる伝送チャネルで送信されうる。ＴＸデータ・プロセッサ２１０は、そのユーザ端末のために選択されたレートに基づいて、各ユーザ端末のためのトラフィック・データを処理（例えば、符号化、インタリーブ、および変調）する。ＴＸデータ・プロセッサ２１０は、Ｎｄｎ個のユーザ端末のためにＮｄｎ個のダウンリンク・データ・シンボル・ストリームを提供する。ＴＸ空間プロセッサ２２０は、Ｎｄｎ個のダウンリンク・データ・シンボル・ストリームについて空間処理を実行し、Ｎａｐ個のアンテナのために、Ｎａｐ個の送信シンボルを提供する。各送信機ユニット（ＴＭＴＲ）２２２はそれぞれ、ダウンリンク信号を生成するために、それぞれの送信シンボル・ストリームを受信して処理する。Ｎａｐ個の送信機ユニット２２２は、Ｎａｐ個のアンテナ２２４からユーザ端末への送信のため、Ｎａｐ個のダウンリンク信号を提供する。
【００４３】
各ユーザ端末１２０では、Ｎｕｔ，ｍ個のアンテナ２５２が、アクセス・ポイント１１０からＮａｐ個のダウンリンク信号を受信する。各受信機ユニット（ＲＣＶＲ）２５４は、関連するアンテナ２５２からの受信信号を処理し、受信シンボル・ストリームを提供する。ＲＸ空間プロセッサ２６０は、Ｎｕｔ，ｍ個の受信ユニット２５４からのＮｕｔ，ｍ個の受信シンボル・ストリームについて受信機空間処理を実行し、ユーザ端末のために復元されたダウンリンク・データ・シンボル・ストリーム｛ｓｄｎ，ｍ｝を提供する。受信機空間処理は、ＣＣＭＩ、ＭＭＳＥ、またはその他いくつかの技術にしたがって実行される。ＲＸデータ・プロセッサ２７０は、ユーザ端末のために復号されたデータを取得するために、復元されたダウンリンク・データ・シンボル・ストリームを処理（例えば、復調、デインタリーブ、および復号）する。
【００４４】
各ユーザ端末１２０では、チャネル推定器２７８が、ダウンリンク・チャネル応答を推定し、ダウンリンク・チャネル推定値を提供する。これは、チャネル・ゲイン推定値、ＳＮＲ推定値、ノイズ分散等を含みうる。同様に、チャネル推定器２２８は、アップリンク・チャネル応答を推定し、アップリンク・チャネル推定値を提供する。各ユーザ端末のコントローラ２８０は、一般に、ユーザ端末のためのダウンリンク・チャネル応答行列Ｈｄｎ，ｍに基づいて、ユーザ端末のための空間フィルタ行列を導出する。コントローラ２３０は、実効的なアップリンク・チャネル応答行列Ｈｕｐ，ｅｆｆに基づいて、アクセス・ポイントのための空間フィルタ行列を導出する。各ユーザ端末のコントローラ２８０は、アクセス・ポイントへフィードバック情報（例えば、ダウンリンクおよび／またはアップリンクの固有ベクトル、固有値、ＳＮＲ推定値等）を送信しうる。コントローラ２３０，２８０はさらに、アクセス・ポイント１１０およびユーザ端末１２０それぞれにおけるさまざまな処理ユニットの動作を制御する。
【００４５】
図３に、例えばＭＩＭＯシステム１００のような無線通信システム内で適用されうる無線デバイス３０２内で利用されうるさまざまな構成要素を例示する。無線デバイス３０２は、本明細書で説明されるさまざまな方法を実施するために構成され得るデバイスの例である。無線デバイス３０２は、アクセス・ポイント１１０またはユーザ端末１２０でありうる。
【００４６】
無線デバイス３０２は、無線デバイス３０２の動作を制御するプロセッサ３０４を含みうる。このプロセッサ３０４は、中央制御装置（ＣＰＵ）とも称されうる。読取専用メモリ（ＲＯＭ）とランダム・アクセス・メモリ（ＲＡＭ）との両方を含みうるメモリ３０６が、プロセッサ３０４に命令およびデータを提供する。メモリ３０６の一部は、不揮発性ランダム・アクセス・メモリ（ＮＶＲＡＭ）をも含みうる。プロセッサ３０４は、通常、メモリ３０６に格納されたプログラム命令に基づいて、論理演算および算術演算を実行する。本明細書で説明される方法を実施するために、メモリ３０６内の命令が実行可能とされうる。
【００４７】
無線デバイス３０２は、無線デバイス３０２と遠隔位置との間でのデータの伝送および受信を可能にする送信機３１０および受信機３１２を含むことができるハウジング３０８をも含みうる。送信機３１０および受信機３１２は、トランシーバ３１４に結合されうる。単一あるいは複数の送信アンテナ３１６が、ハウジング３０８に取り付けられ、トランシーバ３１４に電気的に接続されうる。無線デバイス３０２はまた、（図示しない）複数の送信機、複数の受信機、および複数のトランシーバを含みうる。
【００４８】
無線デバイス３０２は、トランシーバ３１４によって受信された信号を検出し、そのレベルを定量化する目的で使用される信号検出器３１８をも含みうる。信号検出器３１８は、合計エネルギ、シンボル毎のサブ・キャリア毎のエネルギ、電力スペクトル密度、およびその他の信号のような信号を検出しうる。無線デバイス３０２は、信号を処理する際に使用されるデジタル信号プロセッサ（ＤＳＰ）３２０をも含みうる。
【００４９】
無線デバイス３０２のさまざまな構成要素が、データ・バスに加えて電力バス、制御信号バス、およびステータス信号バスを含みうるバス・システム３２２によってともに結合されうる。
【００５０】
図１に例示された無線システム１００は、ＩＥＥＥ  ８０２．１１ａｃ無線通信規格にしたがって動作しうる。ＩＥＥＥ  ８０２．１１ａｃは、ＩＥＥＥ  ８０２．１１無線ネットワークにおけるより高いスループットを可能にするＩＥＥＥ  ８０２．１１修正を示す。例えば、一度に複数のユーザ端末（ＳＴＡ）へのパラレルな送信、または、より広いチャネル帯域幅（例えば、８０ＭＨｚまたは１６０ＭＨｚ）を用いることのようないくつかの手段によって、より高いスループットが実現されうる。ＩＥＥＥ  ８０２．１１ａｃ規格は、超高スループット（ＶＨＴ）無線通信規格とも称される。
【００５１】
（物理レイヤ省電力機能）  
本開示のある態様は、システムのパフォーマンスを改善するために、物理レイヤ・ヘッダの未使用のフィールドにおいて情報を送信するための方法を提案する。提案された方法は、シングル・ユーザ送信中に、空間時間ストリーム（Ｎｓｔｓ）の数を示すために通常使用されているヘッダのフィールドにおいて、アクセス・ポイントの基本サービス・セット識別子（ＢＳＳＩＤ）の一部を送信する。
【００５２】
超高スループット（ＶＨＴ）とも称されるＩＥＥＥ  ８０２．１１ａｃ規格は、ネットワークの高スループット動作をサポートする。これは、複数の局（ＳＴＡ）へのパラレル送信のようないくつかの測定によって直ちに実現されるか、あるいは、例えば８０ＭＨｚまたは１６０ＭＨｚのような広チャネル帯域幅を用いて実現される。
【００５３】
８０２．１１ａｃ物理（ＰＨＹ）ヘッダ・フォーマットは、「空間時間ストリーム数（Ｎｓｔｓ）」フィールドと命名されたフィールドを含みうる。Ｎｓｔｓフィールドは、マルチ・ユーザ（ＭＵ）送信のために必要とされうるが、シングル・ユーザ（ＳＵ）送信のために一部使用されない場合がありうる。例えば、Ｎｓｔｓフィールドのビット１３−２１（９ビット）は、未使用でありうる。Ｎｓｔｓフィールドのこれら９ビットは、部分的な関連付け識別子（ＡＩＤ： association identifier）をシグナルするために使用されうる。これによって、異なる部分的なＡＩＤを持つ局（ＳＴＡ）は、自己のものとは異なる部分的なＡＩＤを受信した後、パケットの受信を終了できるようになりうる。
【００５４】
アクセス・ポイントは、自分自身にはＡＩＤを割り当てないので、９ビット・フィールドのうちのどの値が、ＡＰへの送信のためであるべきか否かは定義されていない。ＡＰへのこのような送信は、アップリンク送信と称される。
【００５５】
ある態様の場合、未使用のＮｓｔｓフィールドが、アップリンク・シングル・ユーザ（ＳＵ）パケットのために、部分的な基本サービス・セット識別子（ＢＳＳＩＤ）で埋められ、ユニキャスト・ダウンリンクＳＵパケットのために部分的なＡＩＤで埋められうる。ＢＳＳＩＤは、ＡＰの媒体アクセス制御（ＭＡＣ）アドレスである。これは、アップリンクＳＵ送信の９ビットのフィールドが、ＡＰの媒体アクセス制御（ＭＡＣ）アドレスの最初の９ビットを含んでいることを示唆している。９ビットが単なる典型例であることに注目されたい。
【００５６】
図４Ａ−４Ｃは、本開示のある態様にしたがって、シングル・ユーザ送信スキームまたはマルチ・ユーザ送信スキームで送信されうるパケットの例を例示する。
【００５７】
図４Ａは、マルチ・ユーザ送信のために使用される場合、空間時間ストリームの数を示すインジケーションを送信するために使用されうるフィールド４０４およびＰＨＹヘッダ４０２Ａを含むメッセージ・フォーマット（例えば、パケット）の例を例示する。
【００５８】
図４Ｂは、シングル・ユーザ・ダウンリンク送信を用いて送信されるメッセージを例示する。このメッセージは、このパケットが向けられている局のＡＩＤの一部を備えるフィールド４０６とＰＨＹヘッダ４０２Ｂとを含みうる。
【００５９】
図４Ｃは、シングル・ユーザ・アップリンク送信を用いて送信されるメッセージを例示する。このメッセージは、このメッセージが向けられているアクセス・ポイントのＢＳＳＩＤの一部を備えるフィールド４０８とＰＨＹヘッダ４０２Ｃとを含みうる。
【００６０】
ある態様の場合、ＡＰは、ＳＴＡへＡＩＤを割り当てている間、その部分的なＢＳＳＩＤに等しい（例えば、そのＭＡＣアドレスの９つの最下位ビット（ＬＳＢ）に等しい）部分的なＡＩＤを持つＡＩＤをスキップしうる。
【００６１】
ある態様の場合、ＡＰは、ＳＴＡへＡＩＤを割り当てている間、近隣における他のＡＰの部分的なＢＳＳＩＤをもスキップしうる。これらのＢＳＳＩＤは、周囲のＡＰから受信したビーコンによって取得されうる。
【００６２】
ユニキャスト・ダウンリンクＳＵパケットのための部分的なＡＩＤを用いることは、基本サービス・セット（ＢＳＳ）内に衝突が生じないであろうことを保証しうる。言い換えれば、各ＳＴＡは、それに向けられたＰＨＹヘッダ内にユニークな値を有しうる。これによって、ＢＳＳ内のその他すべてのＳＴＡ（最大５１０デバイスまで。これは、ＡＰのブロードキャストされた部分的なＡＩＤ（すべてゼロ）および部分的なＢＳＳＩＤを引いた９ビット・フィールドの５１２値に等しい）は、パケットの残りの期間中、スリープに戻ることが可能となる。
【００６３】
ある態様の場合、アップリンク送信は、ＢＳＳ内で衝突しないが、他のＢＳＳ内のＳＴＡの部分的なＡＩＤと衝突しうる。しかしながら、これが生じる可能性は低い。ある態様の場合、ＳＴＡは、別のＢＳＳにおけるＳＴＡと、または、別のＡＰとの衝突を検出した場合、異なるＡＩＤを要求しうる。
【００６４】
図５は、本開示のある態様にしたがって、局によって実行されうる省電力を容易にするための動作５００の例を例示する。この動作は、５０２において、局が、フィールドを備える第１のメッセージを生成することで始まりうる。ここで、このフィールドは、シングル・ユーザ送信スキームで使用されている場合、基本サービス・セット識別子（ＢＳＳＩＤ）の一部、または、マルチ・ユーザ送信スキームで使用されている場合、空間時間ストリームの数を示すインジケーションを備える。５０４において、局は、アクセス・ポイントへ第１のメッセージを送信する。局はまた、フィールドを備える第２のメッセージを受信しうる。このフィールドは、第２のメッセージが、シングル・ユーザ送信スキームを用いて送信されている場合、関連付け識別子（ＡＩＤ）の一部、または、第２のメッセージが、マルチ・ユーザ送信スキームを用いて送信されている場合、空間時間ストリームの数を示すインジケーションを備える。
【００６５】
ある態様の場合、局は、受信したＡＩＤをそのＡＩＤと比較し、受信したＡＩＤがそのＡＩＤと異なる場合、第２のメッセージを破棄しうる。
【００６６】
図６は、本開示のある態様にしたがってアクセス・ポイントによって実行されうる省電力を容易にするための動作６００の例を例示する。動作６００は、６０２において、アクセス・ポイントが、１または複数のＡＩＤを、１または複数の装置へ割り当てることで始まりうる。ここでは、１または複数のＡＩＤは、装置の基本サービス・セット識別子（ＢＳＳＩＤ）の一部と異なる。６０４において、アクセス・ポイントは、割り当てられたＡＩＤを、１または複数の装置に通知しうる。
【００６７】
（ランダム・オフセットを用いた物理レイヤ省電力機能）  
前述するように、８０２．１１ａｃ物理（ＰＨＹ）ヘッダは、ＶＨＴ信号Ａ（ＶＨＴ−ＳＩＧ−Ａ）フィールドの一部として、「空間時間ストリーム数（Ｎｓｔｓ）」を含みうる。ＶＨＴ−ＳＩＧ−Ａフィールドは、ＶＨＴフォーマット・パケットを解釈するための情報を伝送する。Ｎｓｔｓフィールドは、マルチ・ユーザ（ＭＵ）送信のために利用されうるが、シングル・ユーザ（ＳＵ）送信のためには部分的に未使用でありうる。例えば、Ｎｓｔｓフィールドのビット１３−２１（９ビット）は未使用でありうる。Ｎｓｔｓフィールドのこれらの９ビットは、部分的な関連付け識別子（ＡＩＤ）をシグナルするために使用されうる。これによって、異なる部分的なＡＩＤを持つ局（ＳＴＡ）は、自己のものとは異なる部分的なＡＩＤを受信した後、パケットの受信を終了できるようになりうる。
【００６８】
ある態様の場合、ＡＩＤは、オーバラップしているＢＳＳ間の部分的なＡＩＤ衝突の可能性を低減するために、ＡＰによってランダムに選択されうる。このランダムな選択は、すべてのビーコンに存在するトラフィック・インジケーション・マップ（ＴＩＭ）における望まれない増加をもたらしうる。
【００６９】
図７Ａおよび７Ｂはそれぞれ、本開示のある態様にしたがう、ＶＨＴ−ＳＩＧ−Ａ１フィールドとＶＨＴ−ＳＩＧ−Ａ２フィールドとのビット構成テーブル７００，７５０の例である。本開示のある態様の場合、ＡＩＤ選択は、シーケンシャルに維持され、１において開始しうる。ＰＨＹヘッダの９ビット・フィールド（例えば、テーブル７００におけるＮＳＴＳフィールドのビット１３−２１）に部分的なＡＩＤが入力される前に、ＢＳＳ特有のオフセットが（部分的な）ＡＩＤに追加されうる。ＢＳＳ特有のオフセットが、ＡＰによってランダムに選択され、関連付け応答によって、関連付けられたＳＴＡへシグナルされうるか、あるいは、その他の手段によって、ＳＴＡへ通信されうる。
【００７０】
このようにして、ダウンリンク送信のための９ビット・フィールドにおける値は、高い可能性で、１つのＢＳＳと次のＢＳＳとでは異なりうる。これによって、ＳＴＡは、フレームが送信されている場合に、アウェイクし続けることが可能となる。
【００７１】
図８は、本開示のある態様にしたがって、第１の装置に関連付けられた値と、第２の装置（例えば、局）に関連付けられた別の値とに基づいてメッセージを送信するための、第１の装置（例えば、アクセス・ポイント）の観点からの動作８００の例を例示する。この動作８００は、８０２において、第１の装置が、第１の値を備えるメッセージを生成することで始まりうる。第１の値は、第１の装置に関連付けられた第２の値と、第２の装置に関連付けられた第３の値とに基づいて生成されうる。８０４において、第１の装置は、第２の装置へメッセージを送信しうる。
【００７２】
ある態様によれば、第２の値は、ランダムに選択されうる。ある態様の場合、この生成は、第１の装置に関連付けられた第２の値を、第２の装置に関連付けられた第３の値と結合することを備えうる。結合することは、第３の値に第２の値を加えることを備えうる。ある態様の場合、結合することは、加えられた結果を切り詰めることを備えうる。
【００７３】
ある態様の場合、この動作８００はさらに、第１の装置が、複数の値を、複数の装置へシーケンシャルに割り当てることを備えうる。この第３の値は、複数の値のうちの１つでありうる。
【００７４】
ある態様の場合、第１の装置は、（例えば、関連付け応答によって）第２の装置へ第２の値を提供しうる。ある態様の場合、第１の装置は、第２の装置へ第３の値を提供しうる。特定の装置に値を提供することは、その特定の装置へ値を送信またはシグナルすることを含みうる。
【００７５】
図９は、本開示の態様にしたがって、空間時間ストリームの数を示すインジケーションまたは識別情報値を備えるメッセージを送信するための、装置（例えば、アクセス・ポイント）の観点からの動作９００の例を例示する。動作９００は、９０２において、装置が、フィールドを備えるメッセージを生成することで始まりうる。このフィールドは、マルチ・ユーザ送信スキームで使用されている場合、空間時間ストリームの数を示すインジケーション、または、シングル・ユーザ送信スキームで使用されている場合、識別情報（ＩＤ）値の少なくとも一部を備えうる。９０４において、装置は、メッセージを送信しうる。
【００７６】
図１０は、本開示のある態様にしたがって、受信したメッセージが、第１の装置に向けられたものであるか否かを、第１の装置に関連付けられた値と、第２の装置（例えば、アクセス・ポイント）に関連付けられた第２の値とに基づいて判定するための、第１の装置（例えば、局）の観点からの動作１０００の例を例示する。この動作１０００は、１００２において、第１の装置が、第２の装置からメッセージを受信することで始まりうる。このメッセージは、第１の値を備えるフィールドを備えうる。１００４において、第１の装置は、第２の装置に関連付けられた第３の値を、第１の装置に関連付けられた第４の値と結合することによって生成される第２の値を決定しうる。
【００７７】
１００６において、第１の装置は、第１の値および第２の値に基づいて、このメッセージが、第１の装置に向けられているのか否かを判定しうる。このメッセージは、第１の値が第２の値と等しい場合に、第１の装置に向けられていると判定されうる。そうではなく、第１の値が第２の値と等しくない場合、第１の装置は、メッセージが第１の装置に向けられていないと判定しうる。この場合、第１の装置は、この判定に基づいて、メッセージの処理（例えば、解釈）を終了しうる。
【００７８】
ある態様の場合、第１の装置は、第１のモードにおいて、このメッセージが第１の装置に向けられているのか否かを判定しうる。その後、第１の装置は、第１の装置が、このメッセージの意図された受信先ではないと判定することに応じて、第２のモードを開始しうる。ここで、第２のモードは、第１のモードよりも電力消費量が低い。例えば、第１のモードは、アウェイク・モードでありうる一方、第２のモードは、スリープ・モードである。
【００７９】
ある態様によれば、動作１０００はさらに、第１の装置が、第１の装置に関連付けられた第４の値を示すインジケーションを受信することを備えうる。第１の装置に関連付けられた第４の値は、複数の装置にシーケンシャルに割り当てられた複数の値のうちの１つでありうる。ある態様の場合、第２の値のうちの少なくとも一部は、第１の装置に関連付けられた第４の値の複数の最下位ビット（ＬＳＢ）を含みうる。
【００８０】
ある態様の場合、動作１０００はさらに、第１の装置が、第２の装置に関連付けられた第３の値を示すインジケーションを受信することを備えうる。第１の装置は、関連付け応答によって、このインジケーションを受信しうる。
【００８１】
図１１は、本開示のある態様にしたがって、受信したメッセージが局に向けられているのかを、受信したメッセージにおける識別情報値の少なくとも一部に基づいて判定するための、装置（例えば、局）の観点からの動作１１００の例を例示する。この動作は、１１０２において、装置が、フィールドを備えるメッセージを受信することで始まりうる。このフィールドは、マルチ・ユーザ送信スキームで使用されている場合、空間時間ストリームの数を示すインジケーション、または、シングル・ユーザ送信スキームで使用されている場合、識別情報（ＩＤ）値の少なくとも一部、を備えうる。装置は、１１０４において、ＩＤ値の少なくとも一部に基づいて、このメッセージが、装置に向けられているのか否かを判定しうる。
【００８２】
前述した方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。一般に、図面に例示された動作が存在する場合、これら動作は、同じ符番を付された対応するmeans-plus-function構成要素を有しうる。例えば、図８に例示される動作８００は、図８Ａに例示される手段８００Ａに対応する。
【００８３】
例えば、送信する手段、シグナリングする手段、または提供する手段は、例えば、図２に例示されたアクセス・ポイント１１０の送信機ユニット２２２、図２に図示されたユーザ端末１２０の送信機ユニット２５４、または、図３に示された無線デバイス３０２の送信機３１０のような送信機を備えうる。受信する手段は、例えば、図２に例示されたアクセス・ポイント１１０の受信機ユニット２２２、図２に図示されたユーザ端末１２０の受信機ユニット２５４、あるいは、図３に示された無線デバイス３０２の受信機３１２のような受信機を備えうる。メッセージを生成する手段、結合させる手段、シーケンシャルに割り当てる手段、処理を終了させる手段、開始する手段は、加える手段、切り詰める手段、判定する手段、および／または、処理する手段は、例えば、図２に例示されているような、アクセス・ポイント１１０のＴＸデータ・プロセッサ２１０および／またはコントローラ２３０、または、ユーザ端末１２０のＴＸデータ・プロセッサ２８８および／またはコントローラ２８０のような１または複数のプロセッサを含みうる処理システムを備えうる。
【００８４】
本明細書で使用される場合、用語「決定すること（determining）」は、さまざまな動作を含む。例えば、「決定すること」は、計算、コンピューティング、処理、導出、調査、ルックアップ（例えば、テーブル、データベース、または他のデータ構造内のルックアップ）、確認等を行うことを含みうる。また、「決定すること」は、受信（例えば、情報の受信）、アクセス（例えば、メモリ内のデータへのアクセス）等を行うことを含みうる。また、「決定すること」は、解決、選択、選定、確立等を含むことができる。
【００８５】
本明細書に記載されるように、アイテムのリストのうちの「少なくとも１つ」と称する文言は、単数を含むこれらアイテムのうちの任意の組み合わせを称する。例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーすることが意図されている。
【００８６】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロプロセッサでありうるが、代替案では、プロセッサは、任意の市販のプロセッサ、コントローラ、マイクロコントローラ、またはステート・マシンでありうる。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成であるコンピューティング・デバイスの組み合わせとして実現されうる。
【００８７】
本開示に関連して説明された方法またはアルゴリズムのステップを、ハードウェアで直接的に、プロセッサによって実行されるソフトウェア・モジュールによって、またはこの２つの組合せによって実現されうる。ソフトウェア・モジュールは、当該技術分野において周知のすべての形式の記憶媒体に常駐しうる。使用されうる記憶媒体のいくつかの例は、ランダム・アクセス・メモリ（ＲＡＭ）、読取専用メモリ（ＲＯＭ）、フラッシュ・メモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にわたって分散されうる。記憶媒体は、プロセッサが記憶媒体から情報を読み取り、記憶媒体に情報を書き込めるように、プロセッサに結合されうる。あるいは、この記憶媒体は、プロセッサに統合されうる。
【００８８】
本明細書で開示された方法は、説明された方法を達成するための１または複数のステップまたは動作を備える。方法ステップおよび／または動作は、特許請求の範囲のスコープから逸脱せずに相互に置換されうる。言い換えると、ステップまたは動作の特定の順序が指定されていない限り、特定のステップおよび／または動作の順序および／または使用は、特許請求の範囲のスコープから逸脱せずに変更されうる。
【００８９】
記載された機能は、ハードウェア、ソフトウェア、ファームウェア、またはこれら任意の組み合わせによって実現されうる。ハードウェアで実現される場合、ハードウェア構成の例は、無線ノード内の処理システムを備えうる。処理システムは、バス・アーキテクチャを用いて実現されうる。バスは、全体的な設計制約および処理システムの特定の用途に依存して、任意の数の相互接続バスおよびブリッジを含みうる。バスは、プロセッサ、機械読取可能な媒体、およびバス・インタフェースを含む回路をともにリンクしうる。バス・インタフェースは、とりわけ、ネットワーク・アダプタを、バスを介して、処理システムへ接続するために使用されうる。ネットワーク・アダプタは、物理レイヤの信号処理機能を実現するために使用されうる。ユーザ端末１２０（図１を参照）の場合には、ユーザ・インタフェース（例えば、キーパッド、ディスプレイ、マウス、ジョイスティック等）も、バスに接続されうる。バスはさらに、例えば、タイミング・ソース、周辺機器、電圧制御装置、および電力管理回路等のようなその他さまざまな回路をリンクしうる。これらは、当該技術分野で良く知られているので、さらなる説明はしない。
【００９０】
プロセッサは、バスの管理、および、機械読取可能な媒体に格納されたソフトウェアの実行を含む一般的な処理を担当する。プロセッサは、１または複数の汎用プロセッサおよび／または特別目的プロセッサを用いて実現されうる。例は、マイクロプロセッサ、マイクロコントローラ、ＤＳＰプロセッサ、および、ソフトウェアを実行することができるその他の回路、を含みうる。ソフトウェアは、ソフトウェア、ファームウェア、ミドルウェア、マクロコード、ハードウェア記述言語、あるいはその他で称されようとも、命令群、データ、あるいは、これらの任意の組み合わせを意味するように広く解釈されるものとする。機械読取可能な媒体は、例によれば、ＲＡＭ（ランダム・アクセス・メモリ）、フラッシュ・メモリ、ＲＯＭ（リード・オンリー・メモリ）、ＰＲＯＭ（プログラマブル・リード・オンリー・メモリ）、ＥＰＲＯＭ（消去可能プログラマブル・リード・オンリー・メモリ）、ＥＥＰＲＯＭ（電気的消去可能プログラマブル・リード・オンリー・メモリ）、レジスタ、磁気ディスク、光ディスク、ハード・ドライブ、またはその他任意の適切な記憶媒体、あるいはこれら任意の組み合わせを含みうる。機械読取可能な媒体は、コンピュータ・プログラム製品内に組み込まれうる。コンピュータ・プログラム製品は、パッケージング・マテリアルを備えうる。
【００９１】
ハードウェアによる実施では、機械読取可能な媒体は、プロセッサとは別の処理システムの一部でありうる。しかしながら、当業者であれば容易に理解するであろうが、機械読取可能な媒体またはその任意の部分は、処理システムの外部にありうる。例によれば、機械読取可能な媒体は、伝送路、データによって変調されたキャリア波、および／または、無線ノードから分離したコンピュータ製品を含みうる。これらすべては、バス・インタフェースを介してプロセッサによってアクセスされうる。あるいは、または、それに加えて、機械読取可能な媒体またはこれら任意の部分は、キャッシュおよび／または汎用レジスタ・ファイルによくあるように、プロセッサへ統合されうる。
【００９２】
処理システムは、プロセッサ機能を提供する１または複数のマイクロプロセッサと、機械読取可能媒体のうちの少なくとも一部を提供する外部メモリとを備える汎用処理システムとして構成されうる。１または複数のマイクロプロセッサと外部メモリはすべて、外部バス・アーキテクチャを介して他の支援回路にリンクされている。あるいは、処理システムは、プロセッサ、バス・インタフェース、アクセス端末の場合、ユーザ・インタフェース、支援回路、単一チップへ組み込まれた機械読取可能な媒体の少なくとも一部を備えたＡＳＩＣ（特定用途向け集積回路）で、または、１または複数のＦＰＧＡ（フィールド・プログラマブル・ゲート・アレイ）とで、ＰＬＤ（プログラム論理回路）で、コントローラで、ステート・マシンで、ゲート・ロジックで、ディスクリート・ハードウェア構成要素で、または、その他任意の適切な回路で、または、本開示を通じて記載されたさまざまな機能を実行しうる回路の任意の組み合わせで、実現されうる。当業者であれば、システム全体に課せられる全体的な設計制約および特定のアプリケーションに依存して、処理システムのために、記載された機能をどうやって最良に実施するかを認識するだろう。
【００９３】
機械読取可能な媒体は、多くのソフトウェア・モジュールを備えうる。ソフトウェア・モジュールは、プロセッサによって実行された場合、処理システムに対して、さまざまな機能を実行させるための命令群を含む。ソフトウェア・モジュールは、送信モジュールおよび受信モジュールを含みうる。ソフトウェア・モジュールはそれぞれ、単一のストレージ・デバイス内に存在するか、または、複数のストレージ・デバイスにわたって分散されうる。例によれば、ソフトウェア・モジュールは、トリガ・イベントが生じると、ハード・ドライブからＲＡＭへロードされうる。ソフトウェア・モジュールの実行中、プロセッサは、アクセス速度を増加させるために、命令のうちのいくつかをキャッシュにロードしうる。その後、プロセッサによる実行のために、１または複数のキャッシュ・ラインが、汎用レジスタ・ファイルへロードされうる。以下に示すソフトウェア・モジュールの機能を参照する場合、このような機能は、このソフトウェア・モジュールからの命令群を実行するときに、プロセッサによって実施されることが理解されるだろう。
【００９４】
ソフトウェアで実施される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ・プログラムを１つの場所から別の場所へ転送することを容易にする任意の媒体を含む通信媒体とコンピュータ記憶媒体との両方を含んでいる。記憶媒体は、コンピュータによってアクセスされる利用可能な任意の媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線（ＩＲ）、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含んでいる。ここで、ｄｉｓｋは通常、データを磁気的に再生する一方、ｄｉｓｃは、レーザを用いてデータを光学的に再生する。したがって、いくつかの態様では、コンピュータ読取可能な媒体は、非一時的なコンピュータ読取可能な媒体（例えば、具体的な媒体）を備えうる。さらに、別の態様の場合、コンピュータ読取可能な媒体は、一時的なコンピュータ読取可能な媒体（例えば、信号）を備えうる。前述した組み合わせもまた、コンピュータ読取可能な媒体の範囲内に含まれるべきである。
【００９５】
したがって、ある態様は、本明細書に記載された動作を実行するためのコンピュータ・プログラム製品を備えうる。例えば、このようなコンピュータ・プログラム製品は、格納された（および／またはエンコードされた）命令群を有するコンピュータ読取可能な媒体を備える。これら命令群は、本明細書において記載された動作を実行するために、１または複数のプロセッサによって実行されることが可能である。ある態様の場合、コンピュータ・プログラム製品は、パッケージング・マテリアルを含みうる。
【００９６】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、このようなデバイスは、本明細書で説明した方法を実行するための手段の転送を容易にするためにサーバに結合されうる。代替案では、本明細書に記載されたさまざまな方法は、記憶手段（例えば、ＲＡＭ、ＲＯＭ、コンパクト・ディスク（ＣＤ）またはフロッピー（登録商標）ディスクなどの物理記憶媒体など）を介して提供され、ユーザ端末および／または基地局は、記憶手段をデバイスに結合するか提供するときにさまざまな方法を取得しうる。さらに、本明細書で説明された方法および技法をデバイスに提供するために、その他任意の適切な技法が利用されうる。
【００９７】
特許請求の範囲は、前述した正確な構成および構成要素に限定されないことを理解されたい。さまざまな修正、変更、および変形が、特許請求の範囲の範囲から逸脱せずに、前述した方法および装置の構成、動作、および詳細において実施されうる。
【図１】
2013544472.tif 000003
【図２】
2013544472.tif 000004
【図３】
2013544472.tif 000005
【図４Ａ】
2013544472.tif 000006
【図４Ｂ】
2013544472.tif 000007
【図４Ｃ】
2013544472.tif 000008
【図５】
2013544472.tif 000009
【図５Ａ】
2013544472.tif 000010
【図６】
2013544472.tif 000011
【図６Ａ】
2013544472.tif 000012
【図７Ａ】
2013544472.tif 000013
【図７Ｂ】
2013544472.tif 000014
【図８】
2013544472.tif 000015
【図８Ａ】
2013544472.tif 000016
【図９】
2013544472.tif 000017
【図９Ａ】
2013544472.tif 000018
【図１０】
2013544472.tif 000019
【図１０Ａ】
2013544472.tif 000020
【図１１】
2013544472.tif 000021
【図１１Ａ】
2013544472.tif 000022
【国際調査報告】
2013544472.tif 000023
2013544472.tif 000024
2013544472.tif 000025
2013544472.tif 000026
2013544472.tif 000027